(57)【要約】【課題】遊戯者がより変化に富んだ遊びをすることができる遊戯装置を提供する。【解決手段】遊戯装置１は、長手方向が横向きとなるように配置され、遊戯者Ｙが立った状態で外周面上を長手方向に沿って移動可能に構成されたビーム１１と、ビーム１１の長手方向に間隔を隔てて配設され、このビーム１１の両端部をそれぞれ支持する第１支持機構及び第２支持機構であって、ビーム１１の一方又は両方の端部が長手方向と交差する方向に変位自在となるように支持する第１支持機構及び第２支持機構と、ビーム１１を駆動してその一方又は両方の端部を前記交差方向に変位させる駆動機構とを備える。【選択図】図１
2008073497.tif 000002
【特許請求の範囲】
【請求項１】
長手方向が横向きとなるように配置され、遊戯者が立った状態で外周面上を長手方向に沿って移動可能に構成されたビームと、
前記ビームの長手方向に間隔を隔てて配設され、このビームの両端部をそれぞれ支持する第１及び第２の支持手段であって、前記ビームの一方又は両方の端部が長手方向と交差する方向に変位自在となるように支持する第１及び第２の支持手段とを備えてなることを特徴とする遊戯装置。
【請求項２】
前記ビームを駆動してその一方又は両方の端部を前記交差方向に変位させる駆動手段を更に備えてなることを特徴とする請求項１記載の遊戯装置。
【請求項３】
前記第１支持手段及び第２支持手段の少なくとも一方は、前記ビームの端部が接続される第１揺動部材と、この第１揺動部材を前記ビームの長手方向と平行な第１揺動中心軸回りに揺動自在に支持する支持部材とから構成されてなることを特徴とする請求項１記載の遊戯装置。
【請求項４】
前記第１揺動部材を前記第１揺動中心軸回りに揺動させる揺動手段を更に備えてなることを特徴とする請求項３記載の遊戯装置。
【請求項５】
前記各支持手段の第１揺動部材は、前記ビームの端部を軸線中心に回転自在に支持するように構成されてなることを特徴とする請求項３又は４記載の遊戯装置。
【請求項６】
前記ビームをその軸線中心に回転させる回転駆動手段を更に備えてなることを特徴とする請求項５記載の遊戯装置。
【請求項７】
前記各支持手段は、前記ビームの端部が接続される第２揺動部材を更に備え、
前記各支持手段の第１揺動部材は、前記第２揺動部材を前記第１揺動中心軸と平行な第２揺動中心軸回りに揺動自在に支持するように構成されてなることを特徴とする請求項４記載の遊戯装置。
【請求項８】
前記各支持手段の第２揺動部材は、前記ビームの端部を軸線中心に回転自在に支持するように構成されてなることを特徴とする請求項７記載の遊戯装置。
【請求項９】
前記ビームをその軸線中心に回転させる回転駆動手段を更に備えてなることを特徴とする請求項８記載の遊戯装置。
【請求項１０】
前記各支持手段は、前記ビームの端部をその長手方向と平行な第１揺動中心軸回りに揺動自在に支持する揺動部材と、この揺動部材を前記第１揺動中心軸と平行な第２揺動中心軸回りに揺動自在に支持する支持部材とから構成され、
前記揺動部材を前記第２揺動中心軸回りに揺動させる揺動手段を更に備えてなることを特徴とする請求項１記載の遊戯装置。
【発明の詳細な説明】
【技術分野】
【０００１】
本発明は、長手方向が横向きとなるように配置されたビームを備え、このビームの外周面上を長手方向に沿って遊戯者が歩いたり、走って遊ぶように構成された遊戯装置に関する。
【背景技術】
【０００２】
前記遊戯装置として、従来、例えば、特開平１０−３１４３３６号公報に開示されたものが知られている。この遊戯装置は、長手方向が横向きとなるように配置され、遊戯者が立った状態で外周面上を長手方向に沿って移動可能に構成されたビームと、前記ビームの長手方向に間隔を隔てて配設され、このビームの両端部をそれぞれ支持する第１支持部材及び第２支持部材とからなる。
【０００３】
前記ビームは、横断面形状が矩形状に形成され、長手方向に沿って湾曲するように形成される。また、前記ビームと各支持部材とは、ビームの長手方向両端部に形成された係止部と、各支持部材に形成された係止溝との係合関係によって着脱自在に組み立てられるようになっており、ビームは、湾曲部による円弧状の凸部が上側を向いたり、下側を向いたり、右側又は左側の横側に向くように配置される。
【０００４】
この遊戯装置では、子供などの遊戯者は、例えば、バランスを取りながらビームの外周面上を長手方向に沿って歩いたり、走ることで遊ぶことができる。ビームは、湾曲部による円弧状の凸部が上側を向いたり、下側を向いたり、右側を向いたり、左側を向くように配置され、ビームが直線的に形成されたものよりも遊戯者の移動経路に変化を持たせることができるので、遊戯者は、より楽しく遊ぶことができる。
【０００５】
【特許文献１】特開平１０−３１４３３６号公報
【発明の開示】
【発明が解決しようとする課題】
【０００６】
しかしながら、上記のように構成された従来の遊戯装置でも、当該遊戯装置における遊びが単調になり易く、飽き易いという問題や、子供達の興味を引き難いという問題があった。
【０００７】
本発明は、以上の実情に鑑みなされたものであって、遊戯者がより変化に富んだ遊びをすることができるとともに、子供達の興味を引くことができる遊戯装置の提供をその目的とする。
【課題を解決するための手段】
【０００８】
上記目的を達成するための本発明は、
長手方向が横向きとなるように配置され、遊戯者が立った状態で外周面上を長手方向に沿って移動可能に構成されたビームと、
前記ビームの長手方向に間隔を隔てて配設され、このビームの両端部をそれぞれ支持する第１及び第２の支持手段であって、前記ビームの一方又は両方の端部が長手方向と交差する方向に変位自在となるように支持する第１及び第２の支持手段とを備えてなることを特徴とする遊戯装置に係る。
【０００９】
この遊戯装置によれば、子供などの遊戯者は、平均台のように、例えば、バランスを取りながらビームの外周面上を長手方向に沿って歩いたり、走ることで遊ぶことができる。ビームは、その一方又は両方の端部が長手方向と交差する方向（例えば、横方向や上下方向、斜め方向、軸線を中心とした回転方向、長手方向と平行な揺動中心軸を中心とした揺動方向など）に変位自在となるように、各支持手段によって支持されているので、遊戯者は、遊戯者のバランス状態や遊戯者の立っている位置などによってビームが適宜動く中でビーム上を移動することができる。
【００１０】
斯くして、本発明に係る遊戯装置によれば、ビームが動くように構成したので、上記従来のような、ビームが固定されたものに比べて、ビームの一方端側から他方端側に移動する難易度を高めたり、より楽しく遊ばせることができ、遊戯者のバランス感覚を高いレベルにまで養ったり、当該遊戯装置における遊びが単調になるのを防止して飽き難くしたり、子供達の興味を引き付けることができる。
【００１１】
尚、前記遊戯装置は、前記ビームを駆動してその一方又は両方の端部を前記交差方向に変位させる駆動手段を更に備えて構成されていても良い。遊戯者は、駆動手段によりビームが駆動されてその一方又は両方の端部が変位せしめられる中で、バランスを取りながらビーム上を移動しなければならないので、このように構成しても、ビームの一方端側から他方端側に移動する難易度を高めたり、より楽しく遊ばせることができ、遊戯者のバランス感覚を高いレベルにまで養ったり、当該遊戯装置における遊びが単調になるのを防止して飽き難くしたり、子供達の興味を引き付けることができる。また、駆動手段によるビームの動き（変位）を見た、当該遊戯装置の周りにいる子供達に対し、この遊戯装置で遊びたいという興味を持たせることもできる。
【００１２】
また、前記第１支持手段及び第２支持手段の少なくとも一方は、前記ビームの端部が接続される第１揺動部材と、この第１揺動部材を前記ビームの長手方向と平行な第１揺動中心軸回りに揺動自在に支持する支持部材とから構成されていても良い。この場合、ビームは、第１揺動部材が第１揺動中心軸回りに揺動することで、ビームの一方又は両方の端部がビームの長手方向と交差する方向に変位するので、遊戯者は、移動中、うまくバランスを取らないと、ビームが左右に振れる。したがって、このように構成しても上記と同様の効果を得ることができる。
【００１３】
この場合において、前記遊戯装置は、前記第１揺動部材を前記第１揺動中心軸回りに揺動させる揺動手段を更に備えて構成されていても良い。このように、揺動手段によって第１揺動部材を第１揺動中心軸回りに揺動させるようにしても、上記と同様の効果を得ることができる。
【００１４】
また、前記各支持手段は、前記ビームの端部が接続される第２揺動部材を更に備え、前記各支持手段の第１揺動部材は、前記第２揺動部材を前記第１揺動中心軸と平行な第２揺動中心軸回りに揺動自在に支持するように構成されていても良い。このようにすれば、揺動手段による第１揺動部材の揺動と、遊戯者のバランス状態による第２揺動部材の揺動との複合動作によって、遊戯者のビーム上での移動をより困難にすることができる。
【００１５】
また、前記各支持手段の第１揺動部材や第２揺動部材は、前記ビームの端部を軸線中心に回転自在に支持するように構成されていても良い。このようにすれば、遊戯者はうまくバランスを取らないと、ビームが回転するので、第１揺動部材の揺動動作や第１揺動部材及び第２揺動部材の揺動動作にビーム自体の回転を加えることができ、遊戯者のビーム上での移動を更に困難にすることができる。
【００１６】
この場合において、前記遊戯装置は、前記ビームをその軸線中心に回転させる回転駆動手段を更に備えて構成されていても良い。このように、回転駆動手段によってビームを軸線中心に回転させるようにしても、上記と同様の効果を得ることができる。
【００１７】
また、前記各支持手段は、前記ビームの端部をその長手方向と平行な第１揺動中心軸回りに揺動自在に支持する揺動部材と、この揺動部材を前記第１揺動中心軸と平行な第２揺動中心軸回りに揺動自在に支持する支持部材とから構成され、前記遊戯装置は、前記揺動部材を前記第２揺動中心軸回りに揺動させる揺動手段を更に備えて構成されていても良い。このように構成しても、揺動手段による揺動部材の揺動と、遊戯者のバランス状態によるビームの揺動との複合動作によって、上記と同様に、遊戯者のビーム上での移動をより困難にすることができる。
【発明の効果】
【００１８】
以上のように、本発明に係る遊戯装置によれば、遊戯者のバランス状態や遊戯者の立っている位置などによってビームが動いたり、適宜手段によってビームを動かすように構成したので、上記従来のような、ビームが固定されたものに比べ、ビームの一方端側から他方端側に移動する難易度を高めたり、より楽しく遊ばせて、遊戯者のバランス感覚を高いレベルにまで養ったり、当該遊戯装置における遊びが単調になるのを防止して飽き難くしたり、子供達の興味を引き付けることができる。
【発明を実施するための最良の形態】
【００１９】
以下、本発明の具体的な実施形態について、添付図面に基づき説明する。尚、図１は、本発明の一実施形態に係る遊戯装置の概略構成を示した斜視図である。また、図２は、図１の遊戯装置の主要部を示した平面図であり、図３は、図２における矢示Ａ方向の側面図であり、図４は、図２における矢示Ｂ−Ｂ方向の断面図である。
【００２０】
図１乃至図４に示すように、本例の遊戯装置１は、長手方向が横向きとなるように配置されるビーム１１と、ビーム１１の長手方向に間隔を隔てて配設され、このビーム１１の両端部をそれぞれ支持する第１支持機構２０及び第２支持機構２５と、各支持機構２０，２５の第１揺動部材２２，２７をそれぞれ揺動させる第１揺動機構３０及び第２揺動機構３５と、ビーム１１の長手方向に間隔を隔てて配設され、第１支持機構２０及び第１揺動機構３０並びに第２支持機構２５及び第２揺動機構３５が取り付けられる第１取付台１２及び第２取付台１３と、各取付台１２，１３が載置，固定される基台１４とから構成される。
【００２１】
前記ビーム１１は、横断面形状が円形をした管状の部材からなり、子供などの遊戯者Ｙが立った状態で外周面上を長手方向（軸線方向）に沿って移動可能に構成される。
【００２２】
前記第１支持機構２０は、第１取付台１２の上面に固設された支持部材２１と、この支持部材２１によってビーム１１の長手方向と平行な第１揺動中心軸回りに揺動自在に支持された第１揺動部材２２と、この第１揺動部材２２によって前記第１揺動中心軸と平行な第２揺動中心軸回りに揺動自在に支持され、ビーム１１の一方端が接続される第２揺動部材２３とを備える。
【００２３】
前記第１揺動部材２２は、平板状且つ細長に形成され、長手方向が上下方向に沿うように配置される平板部２２ａと、平板部２２ａの下端に立設され、前記第１揺動中心軸と同軸に設けられる第１支持軸２２ｂと、平板部２２ａの上端に立設され、前記第２揺動中心軸と同軸に設けられる第２支持軸２２ｃとからなり、第１支持軸２２ｂが支持部材２１によって回転自在に支持されている。尚、第１支持軸２２ｂは、第２支持機構２５とは反対側の面に設けられ、第２支持軸２２ｃは、第２支持機構２５側の面に設けられる。
【００２４】
前記第２揺動部材２３は、第１揺動部材２２の第２支持軸２２ｃに回転自在に係合する係合部２３ａと、係合部２３ａの下側に形成され、ゴムなどの弾性体（図示せず）を介してビーム１１の一方端を保持する保持部２３ｂとからなる。
【００２５】
前記第２支持機構２５は、第２取付台１３の上面に固設された支持部材２６と、この支持部材２６によってビーム１１の長手方向と平行な第１揺動中心軸回りに揺動自在に支持された第１揺動部材２７と、この第１揺動部材２７によって前記第１揺動中心軸と平行な第２揺動中心軸回りに揺動自在に支持され、ビーム１１の他方端が接続される第２揺動部材２８とを備える。
【００２６】
前記第１揺動部材２７は、平板状且つ細長に形成され、長手方向が上下方向に沿うように配置される平板部２７ａと、平板部２７ａの下端に立設され、前記第１揺動中心軸と同軸に設けられる第１支持軸２７ｂと、平板部２７ａの上端に立設され、前記第２揺動中心軸と同軸に設けられる第２支持軸２７ｃとからなり、第１支持軸２７ｂが支持部材２６によって回転自在に支持されている。尚、第１支持軸２７ｂは、第１支持機構２０とは反対側の面に設けられ、第２支持軸２７ｃは、第１支持機構２０側の面に設けられる。
【００２７】
前記第２揺動部材２８は、第１揺動部材２７の第２支持軸２７ｃに回転自在に係合する係合部２８ａと、係合部２８ａの下側に形成され、ゴムなどの弾性体（図示せず）を介してビーム１１の他方端を保持する保持部２８ｂとからなる。
【００２８】
前記第１揺動機構３０は、駆動モータ３１と、第１取付台１２の上面に固設され、駆動モータ３１を支持する支持部材３２と、駆動モータ３１の出力軸に固設された回転体３３と、回転体３３の外周側と第１揺動部材２２の上端と下端との間とを接続する接続部材３４とからなる。
【００２９】
前記第２揺動機構３５は、駆動モータ３６と、第２取付台１３の上面に固設され、駆動モータ３６を支持する支持部材３７と、駆動モータ３６の出力軸に固設された回転体３８と、回転体３８の外周側と第１揺動部材２７の上端と下端との間とを接続する接続部材３９とからなる。
【００３０】
この第１支持機構２０及び第１揺動機構３０によれば、駆動モータ３１が駆動されて回転体３３が回転すると、接続部材３４と第１揺動部材２２との接続関係により第１揺動部材２２が第１支持軸２２ｂを揺動中心にして揺動する（図５参照）。即ち、第１支持軸２２ｂの軸線を含む鉛直面を間に挟んでその左右両側に振れるように揺動する。また、第２揺動部材２３は、外力が加わると、第１揺動部材２２の第２支持軸２２ｃを揺動中心にして揺動する（図６参照）。即ち、第２支持軸２２ｃの軸線を含む鉛直面を間に挟んでその左右両側に振れるように揺動する。
【００３１】
また、この第２支持機構２５及び第２揺動機構３５によれば、駆動モータ３６が駆動されて回転体３８が回転すると、接続部材３９と第１揺動部材２７との接続関係により第１揺動部材２７が第１支持軸２７ｂを揺動中心にして揺動する（図５参照）。即ち、第１支持軸２７ｂの軸線を含む鉛直面を間に挟んでその左右両側に振れるように揺動する。また、第２揺動部材２８は、外力が加わると、第１揺動部材２７の第２支持軸２７ｃを揺動中心にして揺動する（図６参照）。即ち、第２支持軸２７ｃの軸線を含む鉛直面を間に挟んでその左右両側に振れるように揺動する。
【００３２】
尚、第１揺動機構３０と第２揺動機構３５とは、図７に示すように、第１揺動部材２２の揺動方向と第１揺動部材２７の揺動方向とが反対となるように各揺動部材２２，２７を揺動させる。このとき、ビーム１１の軸線が保持部２３ｂ，２８ｂに対して傾くことになるが、この傾きは、例えば、保持部２３ｂ，２８ｂの内周面とビーム１１の外周面との間に設けられた前記弾性体（図示せず）によって許容されるようになっている。また、第１揺動部材２２，２７間の対向距離が変動するが、この変動は、例えば、第１揺動部材２２，２７が撓んだり、第１揺動部材２２，２７が支持部材２１，２６によって第１揺動中心軸方向に変位自在に支持されたり、第２揺動部材２３，２８が第１揺動部材２２，２７によって第２揺動中心軸方向に変位自在に支持されることによって許容されるようになっている。
【００３３】
また、各支持機構２０，２５、各揺動機構３０，３５、及びビーム１１の両端部は、箱状をしたカバーボックス１５及び可撓性を有するシート部材１６によって閉塞された空間内に設けられ、遊戯者Ｙが怪我しないように構成されている。また、前記ビーム１１は、その外周部に図示しない適宜衝撃吸収材が巻き付けられ、前記基台１４は、その上部が図示しない適宜衝撃吸収材によって覆われており、これによって、転倒したり、転落した遊戯者Ｙが怪我しないようになっている。
【００３４】
以上のように構成された本例の遊戯装置１によれば、遊戯者Ｙは、各揺動機構３０，３５により各支持機構２０，２５の第１揺動部材２２，２７が第１揺動中心軸回りに揺動せしめられてビーム１１の両端部がその長手方向と交差する方向に変位（移動）する中で、平均台のように、例えば、バランスを取りながらビーム１１の外周面上を長手方向に沿って歩いたり、走ることで遊ぶことができる。
【００３５】
また、各支持機構２０，２５の第２揺動部材２３，２８が第２揺動中心軸回りに揺動自在に第１揺動部材２２，２７によって支持されていることから、遊戯者Ｙは、移動中、うまくバランスを取らないと、第２揺動部材２３，２８が揺動し、このことによっても、ビーム１１がその長手方向と交差する方向に変位（移動）する。
【００３６】
斯くして、本例の遊戯装置１によれば、各揺動機構３０，３５によって各第１揺動部材２２，２７が揺動するとともに、遊戯者Ｙのバランスの取り方が悪い場合に各第２揺動部材２３，２８が揺動するように構成することで、遊戯者Ｙは、揺動機構３０，３５による第１揺動部材２２，２７の揺動と、遊戯者Ｙのバランス状態による第２揺動部材２３，２８の揺動との複合動作に伴う感覚を楽しみながら遊ぶことができる。したがって、上記従来のような、ビームが固定されたものに比べて、ビーム１１の一方端側から他方端側に移動する難易度を高めたり、より楽しく遊ばせることができ、遊戯者Ｙのバランス感覚を高いレベルにまで養ったり、当該遊戯装置１における遊びが単調になるのを防止して飽き難くしたり、子供達の興味を引き付けることができる。
【００３７】
また、各揺動機構３０，３５によるビーム１１の動き（変位）を見た、当該遊戯装置１の周りにいる子供達に対し、この遊戯装置１で遊びたいという興味を持たせることもできる。
【００３８】
以上、本発明の一実施形態について説明したが、本発明の採り得る具体的な態様は、何らこれに限定されるものではない。
【００３９】
上例では、前記ビーム１１を、その横断面形状が円形をした管状の部材から構成したが、ビーム１１の横断面形状は特に限定されるものではない。例えば、横断面形状が矩形をした管状の部材や、横断面形状が円形又は矩形をした中実の部材から構成しても良い。また、前記各揺動機構３０，３５についても、上記構成に限定されるものではない。
【００４０】
また、上例では、図７に示すように、各揺動機構３０，３５によって、第１支持機構２０の第１揺動部材２２の揺動方向と第２支持機構２５の第１揺動部材２７の揺動方向とがそれぞれ反対となるように各揺動部材２２，２７を揺動させたが、図８に示すように、第１揺動部材２２の揺動方向と第１揺動部材２７の揺動方向とがそれぞれ同じとなるように各揺動部材２２，２７を揺動させるようにしても良い。この場合、揺動機構３０，３５の一方を省略するようにしても良い。
【００４１】
また、図９に示すように、第２支持機構２５の第１揺動部材２７及び第２揺動機構３５を省略し、支持部材２６によって第２揺動部材２８を第２揺動中心軸回りに揺動自在に支持するように構成することもできる。この場合、第１揺動機構３０により第１支持機構２０の第１揺動部材２２が第１揺動中心軸回りに揺動せしめられると、ビーム１１の一方端がその長手方向と交差する方向に変位（移動）する。また、遊戯者Ｙのバランス状態により第２揺動部材２３，２８が第２揺動中心軸回りに揺動する。
【００４２】
また、更に、特に図示はしないが、各支持機構２０，２５の第１揺動部材２２，２７及び各揺動機構３０，３５を省略し、支持部材２１，２６によって第２揺動部材２３，２８を第２揺動中心軸回りに揺動自在に支持するように構成することもできる。この場合は、遊戯者Ｙのバランス状態に応じて第２揺動部材２３，２８が揺動することによってのみ、ビーム１１がその長手方向と交差する方向に変位（移動）する。
【００４３】
また、図１０に示すように、各支持機構２０，２５の第２揺動部材２３，２８を省略し、ビーム１１の端部を適宜保持する保持部材４０を第１揺動部材２２，２７に固設するようにしても良い。この場合、各揺動機構３０，３５により第１揺動部材２２，２７が揺動せしめられることによってのみ、ビーム１１がその長手方向と交差する方向に変位（移動）する。また、この場合において、第２支持機構２５側の第１揺動部材２７を更に省略し、図９に示すように、第１揺動機構３０により第１支持機構２０の第１揺動部材２２のみが第１揺動中心軸回りに揺動せしめられることによって、ビーム１１の一方端がその長手方向と交差する方向に変位（移動）するように構成しても良い。
【００４４】
また、前記各揺動機構３０，３５を省略して、図１１に示すように、各支持機構２０，２５の第１揺動部材２２，２７を、その揺動方向においてどちらにも片寄っていない中間位置に保持するとともに、前記中間位置から一方に片寄ると、この中間位置に戻す保持機構４１を設けたり、図１２に示すように、各支持機構２０，２５の第１揺動部材２２，２７に当接してこの第１揺動部材２２，２７の揺動を規制する規制機構４４を設けるようにしても良い。
【００４５】
図１１に示すように、前記保持機構４１は、各取付台１２，１３の上面に固設され、第１揺動部材２２，２７の両側にこれと一定間隔を隔てて配置された２つの支持部材４２と、軸線がビーム１１の長手方向と直交する横方向に配置され、各支持部材４２と第１揺動部材２２，２７との間に設けられた２つのばね体４３とから構成される。
【００４６】
そして、この保持機構４１によれば、遊戯者Ｙのバランス状態に応じて、第１揺動部材２２，２７が、その揺動方向においてどちらにも片寄っていない中間位置（第１支持軸２２ｂの軸線を含む鉛直面にビーム１１の軸線が含まれた状態となるような第１揺動部材２２，２７の位置）から揺動するとともに、第１揺動部材２２，２７が揺動すると、ばね体４３の付勢力によって前記中間位置に戻される。
【００４７】
また、図１２に示すように、前記規制機構４４は、各取付台１２，１３の上面に固設され、第１揺動部材２２，２７の両側にこれと一定間隔を隔てて配置された２つの支持部材４５と、各支持部材４５の第１揺動部材２２，２７側の面に立設された２つの当接部材４６とから構成される。
【００４８】
そして、この規制機構４４によれば、遊戯者Ｙのバランス状態に応じて第１揺動部材２２，２７が揺動するが、その揺動量（傾斜角度）が一定値よりも大きくなると、第１揺動部材２２，２７が当接部材４６に当接して揺動が規制される。
【００４９】
尚、図１１や図１２では、前記保持機構４１や規制機構４４を各支持機構２０，２５に対応させてそれぞれ設けたが、これに限られるものではなく、支持機構２０，２５の一方側にのみ対応させて設けるようにしても良い。
【００５０】
また、上例では、第１揺動部材２２，２７や第２揺動部材２３，２８を揺動させることによってビーム１１をその長手方向と交差する方向に変位させるように構成したが、これに限られるものではない。例えば、ビーム１１の一方端（他方端）又は両端部を、長手方向がビーム１１の長手方向と交差する方向に沿って形成された長穴内にスライド移動可能に配置したり、駆動シリンダなどの適宜駆動手段によりビーム１１をその長手方向と交差する方向にスライド移動させるようにしても良い。
【００５１】
また、上例では、前記ビーム１１を非回転としたが、図１３及び図１４に示すような回転駆動機構８０を設けて、この回転駆動機構８０によりビーム１１を軸線中心に回転させるようにしても良い。この場合、前記ビーム１１は、その両端部が軸受（図示せず）やローラ（図示せず）などを介して前記保持部２３ｂ，２８ｂにより回転自在に支持され、前記第２揺動部材２３は、前記回転駆動機構８０を構成する駆動モータ８１が取り付けられる取付部２３ｃを更に備える。また、前記回転駆動機構８０は、前記駆動モータ８１と、駆動モータ８１の出力軸に固設された第１歯車８２と、ビーム１１の一方端に外嵌され、第１歯車８２と噛合する第２歯車８３とからなる。
【００５２】
そして、この回転駆動機構８０によれば、駆動モータ８１が駆動されると、その駆動力が第１歯車８２及び第２歯車８３を介してビーム１１に伝達され、当該ビーム１１が軸線中心に回転する（ビーム１１の長手方向と交差する方向に変位する）。このように、ビーム１１を軸線中心に回転させることで、上記のようなビーム１１の動きにビーム１１自体の回転を加えることができ、遊戯者Ｙのビーム１１上での移動を更に困難にすることができる。
【００５３】
尚、前記ビーム１１は、一方向にのみ回転するように構成しても良いが、正逆に回転するように構成しても良い。また、図示例では、図２や図３、図４、図９などに示した遊戯装置において、ビーム１１を軸線中心に回転させるようにしたが、図１０や図１１、図１２に示した遊戯装置や、図示していない、上述した他の態様の遊戯装置などにおいても、ビーム１１を軸線中心に回転させるように構成することができる。また、更に、特に図示はしないが、前記第１揺動部材２２，２７及び第２揺動部材２３，２８を省略して、ビーム１１の両端部を適宜支持部材により軸線中心に回転自在に支持するようにし、ビーム１１の動きを回転のみとしても良い。
【００５４】
また、上例では、第１揺動部材２２，２７や第２揺動部材２３，２８を揺動させることによってビーム１１に動きを持たせるようにしたが、これに限られるものではなく、ビーム１１自体を揺動させることによってビーム１１に動きを持たせる（ビーム１１の長手方向と交差する方向に変位させる）ようにしても良い。
【００５５】
この場合、ビーム１１は、例えば、横断面形状が矩形状に形成され、各取付台１２，１３の上面に固設された第１支持部材５０及び第２支持部材５１によって、両端部がその長手方向に平行な揺動中心軸回りに揺動自在に支持される。
【００５６】
そして、このようなビーム１１を備えた遊戯装置においても、特に図示はしないが、適宜揺動機構によってビーム１１を前記揺動中心軸回りに揺動させたり、図１５に示すように、保持機構５２によって、ビーム１１を、その揺動方向においてどちらにも片寄っていない中間位置に保持するとともに、前記中間位置から一方に片寄ると、この中間位置に戻すようにしたり、図１６に示すように、規制機構５５によって、ビーム１１の揺動を規制するようにしても良い。
【００５７】
尚、前記保持機構５２は、ビーム１１よりも下方位置で各支持部材５０，５１に支持された支持部材５３と、軸線が上下方向となるように且つ前記揺動中心軸を間に挟んでその両側に配置され、各支持部材５３の上面とビーム１１の下面との間に設けられた２つのばね体５４とから構成される。この保持機構５２では、遊戯者Ｙのバランス状態に応じて、ビーム１１が、その揺動方向においてどちらにも片寄っていない中間位置（ビーム１１の上面が水平となる位置）から揺動するとともに、ビーム１１が揺動すると、ばね体５４の付勢力によって前記中間位置に戻される。
【００５８】
また、前記規制機構５５は、ビーム１１よりも下方位置で各支持部材５０，５１に支持された支持部材５６と、前記揺動中心軸を間に挟んでその両側に配置され、支持部材５６の上面に立設された２つの当接部材５７とから構成される。この規制機構５５では、遊戯者Ｙのバランス状態に応じてビーム１１が揺動するが、その揺動量（傾斜角度）が一定値よりも大きくなると、ビーム１１が当接部材５７に当接して揺動が規制される。
【００５９】
また、前記各支持部材５０，５１は、前記第１揺動部材２２，２７のように、ビーム１１の長手方向に平行な揺動中心軸回りに揺動自在に構成されるとともに、前記揺動機構３０，３５のような適宜手段によって揺動せしめられるように構成されていても良い。また、図１５や図１６では、前記保持機構５２や規制機構５５を各支持機５０，５１に対応させてそれぞれ設けたが、これに限られるものではなく、支持機構５０，５１の一方側にのみ対応させて設けるようにしても良い。
【００６０】
また、更に、図１７乃至図１９に示すように、例えば、ビーム１１の一方端を上下方向に変位させるように構成することもできる。この場合、前記ビーム１１は、例えば、横断面形状が矩形状に形成され、長手方向の他方端側には、長手方向がビーム１１の長手方向に沿うように且つビーム１１の両側面に開口するように長穴１１ａが形成されている。
【００６１】
また、ビーム１１の一方端を支持する第１支持機構６０は、第１取付台１２の上面に立設された支持ブロック６１と、この支持ブロック６１の第２支持機構６６側の側面に固設された支持部材６２と、この支持部材６２によってビーム１１の長手方向と直交する水平な第１揺動中心軸回りに揺動自在に支持された第１揺動部材６３と、この第１揺動部材６３によって前記第１揺動中心軸と平行な第２揺動中心軸回りに揺動自在に支持され、ビーム１１の一方端が接続される第２揺動部材６４とを備える。
【００６２】
前記第１揺動部材６３は、平板状且つ細長に形成され、長手方向が横方向に配置される平板部６３ａと、平板部６３ａの左端に固設され、前記第１揺動中心軸と同軸に設けられる第１支持軸６３ｂと、平板部６３ａの右端に固設され、前記第２揺動中心軸と同軸に設けられる第２支持軸６３ｃとからなり、第１支持軸６３ｂが支持部材６２によって回転自在に支持されている。
【００６３】
前記第２揺動部材６４は、第１揺動部材６３の第２支持軸６３ｃに回転自在に係合する係合部６４ａと、係合部６４ａの下側に形成され、ビーム１１の一方端を保持，固定する保持部６４ｂとからなる。
【００６４】
一方、ビーム１１の他方端を支持する第２支持機構６６は、第２取付台１３の上面に前記第１揺動中心軸方向に一定間隔を隔てて配設された２つの支持部材６７と、この支持部材６７間に掛け渡され、ビーム１１の長穴１１ａ内に挿通された支持軸６８とからなる。
【００６５】
また、ビーム１１の一方端を上下方向に変位させる駆動機構７０は、駆動モータ７１と、支持ブロック６１の第２支持機構６６側の側面に固設され、駆動モータ７１を支持する支持部材７２と、駆動モータ７１の出力軸に固設された回転体７３と、回転体７３の外周側と第１揺動部材６３の右端と左端との間とを接続する接続部材７４とからなる。
【００６６】
このように構成された各支持機構６０，６６及び駆動機構７０によれば、駆動モータ７１が駆動されて回転体７３が回転すると、接続部材７４と第１揺動部材６３との接続関係により第１揺動部材６３が第１支持軸６３ｂを揺動中心にして揺動し、これにより、ビーム１１は、その一方端が上下動して支持軸６８を中心に揺動する。このとき、ビーム１１の揺動による傾斜は、第２揺動部材６４が第２支持軸６３ｃを中心にして揺動することで許容され、また、ビーム１１の長手方向への移動が長穴１１ａによって許容される。
【００６７】
尚、図１７乃至図１９に示した例では、ビーム１１の一方端のみを上下方向に変位させたが、ビーム１１の両端を上下方向に変位させるようにしても良い。また、前記駆動機構７０は、上述したものに限定されず、例えば、駆動シリンダなどから構成しても良い。
【００６８】
以上のような変形例に係る遊戯装置においても、ビーム１１が動くことによって、上記従来のような、ビームが固定されたものに比べて、より魅力的な遊戯装置とすることができ、上記と同様の効果を得ることができる。
【図面の簡単な説明】
【００６９】
【図１】本発明の一実施形態に係る遊戯装置の概略構成を示した斜視図である。
【図２】図１の遊戯装置の主要部を示した平面図である。
【図３】図２における矢示Ａ方向の側面図である。
【図４】図２における矢示Ｂ−Ｂ方向の断面図である。
【図５】本実施形態に係る支持機構及び揺動機構の動作を説明するための説明図である。
【図６】本実施形態に係る支持機構の動作を説明するための説明図である。
【図７】本実施形態に係る支持機構及び揺動機構の動作を説明するための説明図である。
【図８】本発明の他の実施形態に係る支持機構及び揺動機構の動作を説明するための説明図である。
【図９】本発明の他の実施形態に係る遊戯装置の主要部を示した平面図である。
【図１０】本発明の他の実施形態に係る遊戯装置の一部を示した断面図である。
【図１１】本発明の他の実施形態に係る遊戯装置の一部を示した断面図である。
【図１２】本発明の他の実施形態に係る遊戯装置の一部を示した断面図である。
【図１３】本発明の他の実施形態に係る遊戯装置の主要部を示した平面図である。
【図１４】図１３における矢示Ｃ−Ｃ方向の断面図である。
【図１５】本発明の他の実施形態に係る遊戯装置の一部を示した断面図である。
【図１６】本発明の他の実施形態に係る遊戯装置の一部を示した断面図である。
【図１７】本発明の他の実施形態に係る遊戯装置の主要部を示した平面図である。
【図１８】図１７における矢示Ｄ方向の側面図である。
【図１９】図１７における矢示Ｅ方向の側面図である。
【符号の説明】
【００７０】
１    遊戯装置
１１  ビーム
１２  第１取付台
１３  第２取付台
１４  基台
２０  第１支持機構
２１  支持部材
２２  第１揺動部材
２３  第２揺動部材
２５  第２支持機構
２６  支持部材
２７  第１揺動部材
２８  第２揺動部材
３０  第１揺動機構
３１  駆動モータ
３２  支持部材
３３  回転体
３４  接続部材
３５  第２揺動機構
３６  駆動モータ
３７  支持部材
３８  回転体
３９  接続部材
【図１】
2008073497.tif 000003
【図２】
2008073497.tif 000004
【図３】
2008073497.tif 000005
【図４】
2008073497.tif 000006
【図５】
2008073497.tif 000007
【図６】
2008073497.tif 000008
【図７】
2008073497.tif 000009
【図８】
2008073497.tif 000010
【図９】
2008073497.tif 000011
【図１０】
2008073497.tif 000012
【図１１】
2008073497.tif 000013
【図１２】
2008073497.tif 000014
【図１３】
2008073497.tif 000015
【図１４】
2008073497.tif 000016
【図１５】
2008073497.tif 000017
【図１６】
2008073497.tif 000018
【図１７】
2008073497.tif 000019
【図１８】
2008073497.tif 000020
【図１９】
2008073497.tif 000021